(57)【要約】【課題】くしめごての主要構成部材である金属材料の素材（材質）を変えることなく、くしめごての使用による手首、親指などの疲労感や痛みを軽減あるいは解消できる新規なくしめごての構造をの提供。【解決手段】くしめごての手元側に弾性凸状体を設けたくしめごてであって、前記弾性凸状体の形状がくしめごてを手に持ったとき、親指の関節から親指の付け根までの手のひら面にほぼ均一に接触するような形状であることを特徴とするくしめごて。【選択図】図３
2007262692.tif 000002
【特許請求の範囲】
【請求項１】
くしめごての手元側に弾性凸状体を設けたくしめごてであって、前記弾性凸状体の形状がくしめごてを手に持ったとき、親指の関節から親指の付け根までの手のひら面にほぼ均一に接触するような形状であることを特徴とするくしめごて。
【請求項２】
前記弾性凸状体が天然ゴム製および／または合成ゴム製である請求項１記載のくしめごて。
【請求項３】
前記弾性凸状体がくしめごての手元側の片面に設けられている請求項１または２記載のくしめごて。
【発明の詳細な説明】
【技術分野】
【０００１】
本発明は、新規なくしめごての構造に関する。
【背景技術】
【０００２】
従来から床タイルを下地などに接着するための接着剤などを塗布するのに使用されている「くしめごて」は、図６に示すようにくしめ刃部と把握部とを１枚の金属で作ったもの、あるいは図７に示すようにくしめ刃部と把握部とをネジで結合して一体化したものなどがある（特許文献１参照）。
このようなくしめごてで作業するとき、床下地や壁下地に向って加えられる手の力により、くしめ刃部はしなってわん曲するが、このしなり具合、いいかえればたわみ性が、作業者が心地よく仕事をする上での重要な鍵であり、また、このたわみ性が「けいわん症候群」などの手やひじの痛みを発生させないための、また作業による疲れを最小限におさえるための重要な要素である。
一方、金属ブレードの手元端部を覆う弾性の筒状把手を取り付けた櫛刷毛も公知である（特許文献２参照）。この筒状把手は、一端にブレードが嵌入される開口部を有し、該開口部の筒状体の対辺の内側にブレードの支点となる溝をものであり、前記支点、開口部端部縁、ブレードの先端部（床面作用点）との間で、弾性を有する金属ブレード全体が円弧を形成して大きく撓み、筒状把手内でもブレードの撓み性があるので、このブレードの撓み性を利用して塗布作業を疲れないようにするものである（特許文献２の〔０３７〕や〔０３９〕参照）。
【０００３】
しかしながら、くしめごては接着剤を販売するときのサービス品であり、できるだけコストを抑える必要があり、くしめごてにいままで以上の「しなり」を与えるような高価な材料を用いることができないのが実情である。また、くしめごての使用により最も疲労感や痛みを感じる個所は手首と親指である。
【０００４】
【特許文献１】実公平７−２２４３６号公報
【特許文献１】実用新案登録第２５９３４４３号公報
【発明の開示】
【発明が解決しようとする課題】
【０００５】
本発明の目的は、くしめごての主要構成部材である金属材料の素材（材質）を変えることなく、くしめごての使用による手首、親指などの疲労感や痛みを軽減あるいは解消できる新規なくしめごての構造を提供する点にある。
【課題を解決するための手段】
【０００６】
本発明の第１は、くしめごての手元側に弾性凸状体を設けたくしめごてであって、前記弾性凸状体の形状がくしめごてを手に持ったとき、親指の関節から親指の付け根までの手のひら面にほぼ均一に接触するような形状であることを特徴とするくしめごてに関する。
本発明の第２は、前記弾性凸状体が天然ゴム製および／または合成ゴム製である請求項１記載のくしめごてに関する。
本発明の第３は、前記弾性凸状体がくしめごての手元側の片面に設けられている請求項１または２記載のくしめごてに関する。
【０００７】
前記凸状体は、くしめごてを塗布作業を行うため手に持ったとき、親指の関節から親指の付け根までの部分がほぼ均一に接触するような形状と大きさであることが大切である。
前記凸状体の高さが低いと、親指の関節付近が凸状体と接触しない状態になってしまい、くしめごてにかかる力を親指全体で受けることができず、凸状体を設けた効果が充分発揮できない。また、凸状体の高さが高すぎると、親指の先端がくしめごてから浮いてしまい、くしめごてを持つ手が安定せず、作業性が悪化する。
したがって、凸状体の具体的形状としては、その断面が楕円形またはほぼ楕円形の形状ということになる。
また、凸状体はゴム系の材料で構成する場合は図３や図４に示すような中空体でよいが、発泡体で構成する場合は中空体ではなく、すべてを発泡体で構成することが好ましい。
ただ、長期間ほぼ同一の形状に凸状体を保つという点からみると、凸状体はゴム製の中空体であることが好ましい。
【０００８】
凸状体の断面が楕円形またはほぼ楕円形の場合、その短辺は外径１０〜２５ｍｍ、好ましくは１５〜２０ｍｍ、長径２０〜４０ｍｍ、好ましくは２５〜３５ｍｍである。
凸状体は、くしめごての手元側全体に設けることができる。ただし、片面にのみ設けるときは、くしめごての手元側であって、親指が当る位置周辺にのみ凸状部を設けてもよい。
【０００９】
前記弾性凸状体を構成する材料としては、弾性を示すものなら格別の制限はなく、天然ゴム、合成ゴムあるいは熱可塑性エラストマー（１９９５年１０月３０日、日刊工業新聞社発行、「熱可塑性エラストマー」参照）を使用することができるが、凸状体を発泡体で構成する場合には、一般の合成樹脂、たとえばポリエチレン、ポリプロピレンなども使用可能である。しかしながら、当然のことながら、ゴム弾性を有する天然ゴムおよび／または合成ゴムがもっとも好適である。
代表的な合成ゴムとしては、ＳＢＲ、ＡＢＳ、ＮＢＲ、クロロプレンゴムなどを挙げることができる。
【００１０】
図１〜図３においては、くしめごての金属材料部分は、出願人の従来から使用していたくしめごてをそのまま流用したから、手元側には金属板の折り返し部分が設けられているが、本発明の弾性凸状体を付設する場合には、このような折り返し部分はあっても支障はないが、なくても何等問題はない。その１例として図４がある。なお、図４は、本発明にかかる他の実施例であり、くしめごての両面に凸状体を設けたものである。この場合は親指側だけでなく、他の指についても疲労防止効果がある。
【００１１】
前記弾性凸状体をくしめごてに固定する手段は、機械的手段（ビス、ナットなど）や化学的手段（接着剤、両面テープなど）を用いることができる。
【発明の効果】
【００１２】
（１）従来から使用していたくしめごてに弾性凸状体を付加したことにより、このくしめごてを一日中使用しても手首や親指の疲労感や痛み感の発生が驚くほど抑制または軽減された。
（２）金属材料にしなりを持つことが求められないので、安価な材料を使用できる。
（３）弾性凸状体が老化しても、この部分のみを取り替えることができる。
【実施例】
【００１３】
以下に実施例を挙げて本発明を説明するが、本発明はこれに限定されるものではない。
【００１４】
従来から出願人が使用している金属板のみのくしめごてに、ゴム製凸状体を接着剤により接着した。その形状は図１〜３に示すとおりであり、その使用態様は図５に示すとおりである。これにより使用に伴う手首、親指の疲労感および痛みは抜群に改善された。
各部分の寸法は下記のとおりである。
図１および図３に示す金属板部分の寸法
ｐ＝  ９５ｍｍ
ｍ＝１４８ｍｍ
ｎ＝１３５ｍｍ
ｕ＝    ２ｍｍ
ｉ＝  ３４ｍｍ
ｊ＝    ５ｍｍ
ｋ＝  ４０ｍｍ
図１に示す弾性凸状体の寸法
ｑ＝  ９３ｍｍ
ｒ＝  ３８ｍｍ
ｓ＝    ８ｍｍ
ｔ＝  ３０ｍｍ
図３に示す弾性体の断面寸法
ｅ＝    ３ｍｍ
ｆ＝  ３０ｍｍ
ｇ＝  １９ｍｍ
ｈ＝    ３ｍｍ
【図面の簡単な説明】
【００１５】
【図１】本発明のくしめごての上面図である。
【図２】本発明のくしめごての下面図である。
【図３】図２のｘ−ｘ線断面図である。
【図４】図３と同様の断面図であるが、図１〜３に示したくしめごての１つの変形例である。
【図５】図１〜３に示すくしめごてを用いて塗布作業を行っている態様を示す。親指が下側になるようにくしめごてを持って作業することを示している。
【図６】従来型のくしめごての１例を示すものであり、（Ａ）は上面図、（Ｂ）はｘ−ｘ′線断面図である。
【図７】従来型のくしめごての他の１例を示すものであり、（Ａ）は上面図、（Ｂ）はｘ−ｘ′線断面図である。
【図１】
2007262692.tif 000003
【図２】
2007262692.tif 000004
【図３】
2007262692.tif 000005
【図４】
2007262692.tif 000006
【図５】
2007262692.tif 000007
【図６】
2007262692.tif 000008
【図７】
2007262692.tif 000009